(57)【特許請求の範囲】
【請求項１】
集塵装置本体の内部を中間仕切壁によって左右二部屋に仕切り、一方の部屋を含塵気流の流入口を設けたダスト室とし、他方の部屋を清浄空気の排出口を設けた清浄室とした集塵装置であって、
上記の中間仕切壁を、上側よりダスト室側に向けて下り傾斜となる縦仕切板と、この縦仕切板の下端部に対して直角に連設され、且つ、清浄室側に向けて下り傾斜となる横仕切板とを、交互に繰り返し縦方向に連設することによって断面略鋸歯状に構成すると共に、各横仕切板に上記ダスト室に通じる通気口を開口し、これ等各横仕切板の上に、複数台のフイルターユニットを夫々の入気側を上記の通気口を通して上記のダスト室に臨ませ、且つ、夫々の排気側を上記の清浄室に臨ませた状態で上下多段式に取付けたことを特徴とする複数段式集塵装置。
【請求項２】
複数台のフイルターユニットを、中間仕切壁に対して夫々入気側を斜め上側に向け、排気側を斜め下側に向けた傾斜状態に取付けて、これ等各フイルターユニットの入気側の底面部に含塵気流の入気口を設け、且つ、各排気側には除塵エアー吹込用のベンチュリー管を設けたことを特徴とする請求項１記載の複数段式集塵装置。
【請求項３】
各フイルターユニットの全体を、入気側の底面を含塵気流の入気口とし、この入気口に対して９０度方向を異にする排気側の一側面を濾過済み空気の排気口とした略ボックス状に造ったことを特徴とする請求項１又は２記載の複数段式集塵装置。
【請求項４】
各フイルターユニットの全体を、入気通路となる多数のフイルター穴を並設した自己支持型構造のフイルター単体を、隣接同士の間に排気通路となる間隔をあけて多数枚重ねて組み合わせることによって、その底面側を上記各入気通路の下端口が開口する含塵気流の入気口と成し、上記各入気通路に対して９０度方向を異にする一側面側を、上記排気通路の先端口が開口する濾過済み空気の排気口と成した略ボックス形状に構成すると共に、上記各排気通路の先端排気口とこれを塞ぐ蓋板との間にエアー室を設け、この蓋板に濾過空気の流通管を兼ねる除塵エアー吹込用のベンチュリー管を設けたことを特徴とする請求項１、２又は３記載の複数段式集塵装置。
【請求項５】
フイルターユニットに対して、濾過空気の流通管を兼ねる除塵エアーの吹込用のベンチュリー管を設けた蓋板を開閉自在に取付けると共に、このベンチュリー管に近い集塵装置本体の壁面に、メンテナンス用扉を設けたことを特徴とする請求項１又は４記載の複数段式集塵装置。
【発明の詳細な説明】
【０００１】
【発明の属する技術分野】
本発明は、逆洗可能な自己支持型（ハニカム型）のフイルターユニットを、縦方向に複数段積み重ねて構成した複数段式集塵装置に関するものである。
【０００２】
【従来の技術】
従来の一般的な排ガス処理装置に於いて、処理能力を増大させる場合には、複数のフイルターを並列に配置したり、処理装置自体を並列に配置していたが、この様にフイルターや処理装置を並列に配置すると、装置の設置面積が増大してしまう問題があった。
【０００３】
これに対して、例えば特公平６−６１４１５号公報に記載されている「複数段式排ガス処理装置」は、縦型のケーシングを上下方向に複数段の処理室に区画形成して、これ等各処理室にハニカム型フイルターを配設することにより、排ガス処理を上下方向の複数段の処理室で行うように構成しているため、前記従来の並列方式の処理装置に比較して装置全体の設置面積を増大させることなく、排ガスの処理能力のみを増大させることができる利点を備えている。
【０００４】
【発明が解決しようとする課題】
しかし、上記公報に開示されている従来の「複数段式排ガス処理装置」は、設置する床面のスペース面積を少くすることはできるが、ハニカム型フイルターを配設した複数段の処理室を上下方向に設ける関係上、装置全体の高さ（丈）が高くなってしまって、設置する工場の大きさ等により弊害が発生したり、メンテナンス時に高さによる弊害が発生したりする問題があり、加えて、設備製作費用等の増大と言った諸々の障害が発生する問題もあった。
【０００５】
そこで本発明の技術的課題は、集塵設備全体の設置面積を少くするだけではなく、設備の高さを出来るだけ低く押えると共に、フイルター清掃時に於ける粉塵が隣接するフイルターへ再付着することを防止し、且つ、フイルターの除塵性能を良くする一方、フイルター交換時のメンテナンスを簡便に行えるように工夫した複数段式集塵装置を提供することである。
【０００６】
【課題を解決するための手段】
（１）  上記の技術的課題を解決するために、本発明では前記請求項１に記載の如く、集塵装置本体の内部を中間仕切壁によって左右二部屋に仕切り、一方の部屋を含塵気流の流入口を設けたダスト室とし、他方の部屋を清浄空気の排出口を設けた清浄室とした集塵装置であって、上記の中間仕切壁を、上側よりダスト室側に向けて下り傾斜となる縦仕切板と、この縦仕切板の下端部に対して直角に連設され、且つ、清浄室側に向けて下り傾斜となる横仕切板とを、交互に繰り返し縦方向に連設することによって断面略鋸歯状に構成すると共に、各横仕切板に上記ダスト室に通じる通気口を開口し、これ等各横仕切板の上に、複数台のフイルターユニットを夫々の入気側を上記の通気口を通して上記のダスト室に臨ませ、且つ、夫々の排気側を上記の清浄室に臨ませた状態で上下多段式に取付けるように構成している。
【０００７】
上記（１）の手段によると、複数台のフイルターユニットを上下に複数台積み重ねた構成から、集塵装置の設置面積を少くすることができる一方、各フイルターユニットの入気側と排気側を、集塵装置本体の内部を左右横方向に二分したダスト室と清浄室の夫々臨ませることによって、多段に積み重ねた各フイルターユニットに於ける含塵気流の方向を横方向に流れるように構成しているため、縦方向に含塵気流を流して処理する前記従来の処理装置に比較して、装置全体の高さを低く押えた状態に造ることを可能にする。
【０００８】
更に上記（１）の手段によれば、ベンチユリー管に高圧エアーを吹き込んでフイルターユニットを逆洗する場合に、各フイルターユニットを断面略鋸歯状に形成した中間仕切壁に傾斜させて取付けている関係で、払い落された粉塵が下側のフイルターユニットの背板の面に沿って落下することになるため、真下のフイルターユニットに除塵された粉塵がまともに落下して被ることがなく、従って、フイルターユニットを上下に積み重ねた構造であっても、上側のフイルターユニットから払い落された粉塵が、下側のフイルターユニットに再付着する量を可及的に少くすることを可能にする。
【０００９】
（２）  また、本発明では前記請求項２に記載の如く、複数台のフイルターユニットを、中間仕切壁に対して夫々入気側を斜め上側に向け、排気側を斜め下側に向けた傾斜状態に取付けて、これ等各フイルターユニットの入気側の底面部に含塵気流の入気口を設け、且つ、各排気側には除塵エアー吹込用のベンチュリー管を設けるように構成している。
【００１０】
上記（２）の手段によると、複数台のフイルターユニットを中間仕切壁に対して夫々傾斜状態に取付けているため、各フイルターユニットを水平に取付けた場合に比較して、集塵装置本体の横幅を狭く造ることができるものであって、その結果、集塵装置の設置面積を更に少くすることを可能にする。更に、各フイルターユニットの入気側の底面部に含塵気流の入気口を設けているため、ベンチユリー管から吹き込まれる除塵エアーによって上側のフイルターユニットから落下して来る粉塵が下側のフイルターユニットの入気口から流入して再付着する量を少くすることができる。
【００１１】
（３）  また、本発明では前記請求項３に記載の如く、各フイルターユニットの全体を、入気側の底面を含塵気流の入気口とし、この入気口に対して９０度方向を異にする排気側の一側面を濾過済み空気の排気口とした略ボックス状に造るように構成している。
【００１２】
（４）  また、本発明では前記請求項４に記載の如く、各フイルターユニットの全体を、入気通路となる多数のフイルター穴を並設した自己支持型構造のフイルター単体を、隣接同士の間に排気通路となる間隔をあけて多数枚重ねて組み合わせることによって、その底面側を上記各入気通路の下端口が開口する含塵気流の入気口と成し、上記各入気通路に対して９０度方向を異にする一側面側を、上記排気通路の先端口が開口する濾過済み空気の排気口と成した略ボックス形状に構成すると共に、上記各排気通路の先端排気口とこれを塞ぐ蓋板との間にエアー室を設け、この蓋板に濾過空気の流通管を兼ねる除塵エアー吹込用のベンチュリー管を設けるように構成している。
【００１３】
上記（３）と（４）の手段によると、各フイルターユニットに於ける入気口と排気口を９０度方向を異にして設けた関係で、底面の入気口から取り入れた含塵気流を濾過した後、この濾過済みの空気を排気口よりフイルターユニットの横方向に排出することができる。更に、上記（４）の手段によると、ベンチユリー管を通してフイルターユニット内に吹き込まれる除塵用の高圧エアーは、一旦エアー室内に流入して圧縮された後、各フイルター単体のフイルター穴に吹き込まれるため、より強力な高圧エアーによる逆洗作用をフイルターユニットの隅々まで確実に及ぼすことを可能にする。
【００１４】
（５）  更に本発明では、前記請求項５に記載の如く、フイルターユニットに対して、濾過空気の流通管を兼ねる除塵エアー吹込用のベンチュリー管を設けた蓋板を開閉自在に取付けると共に、このベンチュリー管に近い集塵装置本体の壁面に、メンテナンス用扉を設けるように構成している。
【００１５】
上記（５）の手段によれば、各フイルターユニットに対するフイルターの交換や修理と言った各種のメンテナンスは、手前のメンテナンス用扉を開いてベンチユリー管が取付けられている蓋板を開くことによって、簡単に行うことを可能にする。
【００１６】
以上の如くであるから、上記（１）〜（５）で述べた手段によって上述した技術的課題を解決して、前記従来の技術の問題点を解消することができる。
【００１７】
【発明の実施の形態】
以下に、本発明に係る複数段式集塵装置の実施の形態を図面と共に説明すると、図１は本発明の全体を明示した構成図、図２は集塵機本体の内部構造を明らかにした側面図、図３はフイルターユニットの側面図、図４は上記集塵機本体の正面図、図５はその平面図であって、これ等の図面に於いて夫々符号１で全体的に示した集塵機本体の内部は、中間仕切壁２によってダスト室３と清浄室４の左右二部屋に仕切られていて、ダスト室３の上面部には含塵気流用の吸引ダクト３Ｒを接続した流入口３Ａが設けられ、清浄室４の上面には排気ダクト４Ｒを接続した排出口４Ａが設けられている。
【００１８】
図１に於いて符号６で全体的に示したのは、上記排気ダクト４Ｒの先端側に設けたブロアー装置で、このブロアー装置６はフアン６Ｆと、フアン用モータ６Ｍと、流量調整弁６Ｘとによって構成されていて、フアン６Ｆの回転による吸引作用を集塵機本体１に及ぼすことにより、焼却炉等で発生する含塵気流（排ガス）を前記吸引ダクト３Ｒを通してダスト室３内に吸い込み、この含塵気流を上記中間仕切壁２に上下多段式に取付けた各フイルターユニット１０…によって濾過した後、その浄化空気を清浄室４より排気ダクト４Ｒ及び上記のブロアー装置６を経て外気に排出する仕組に成っている。
【００１９】
上述した中間仕切壁２は、図２に示すように上側よりダスト室３側に下り傾斜となる縦仕切板２Ａと、この縦仕切板２Ａの下端部に対して直角に連設され、且つ、上記清浄室４側に向けて下り傾斜となる横仕切板２Ｂとを、交互に繰り返して縦方向に連設することにより、全体を断面略鋸歯状に形成すると共に、各横仕切板２Ｂ…に含塵気流の通気口２Ｄ（図３、図６、図７参照）を開口して、これ等各横仕切板２Ｂ…の上に、各フイルターユニット１０がその入気口１０Ａを夫々上記の通気口２Ｄに位置合せして取付けられるように構成されている。
【００２０】
上記の各フイルターユニット１０は、上述した図３と、図６に示した分解斜視図と、図７に示した組立て状態の側断面図の記載から明らかな如く、上述した中間仕切壁２の各横仕切板２Ｂ…毎に設けた複数段の嵌込室２Ｈ（図６参照）の夫々に、フイルター体１０Ｋを嵌込んで組立てられる仕組に成っている。即ち、各嵌込室２Ｈは、図６に示すように上述した縦仕切板２Ａと横仕切板２Ｂと、横仕切板２Ｂの左右に連設した支持壁２Ｃ，２Ｃとによって上面と前面を開放した略ポケット形状に構成されており、また、これ等各嵌込室２Ｈに嵌込んで取付けられる各フイルター体１０Ｋは、図１乃至図３に示すように、上記横仕切板２Ｂの傾斜に従って、入気口１０Ａ側を少し斜め上方に向け、排気溝１０Ｂ側（排気側）を少し斜め下方に向けた傾斜状態に取付けられる仕組に成っている。
【００２１】
また、各フイルター体１０Ｋの全体は、底面側を入気口１０Ａと成し、右前面側を排気口１０Ｂと成した略ボツクス構造に造られていて、その具体的な内部構造は、図９の平面図に示すように各フイルター穴１０Ｍ…を断面ハニカム形状に形成した多数枚の自己支持型構造のフイルター単体１０Ｓ…を重ねて組み合わせることによって構成されている。例えば、セラミックス材等を用いて構成したこれ等の各フイルター単体１０Ｓは、根端部に設けた間隔保持用のリブ１０Ｎによって、夫々流通間隔１０Ｈが保持された状態で併設されていて、各フイルター穴１０Ｍの下端口１０Ｗ…を図８の（イ）図に示すように上記の入気口１０Ａ側に開口する一方、その各流通間隔１０Ｈ…の下端口部分と、各フイルター穴１０Ｍ…と各流通間隔１０Ｈ…の上端口部分の夫々に、セラミックス等の充填材を約１０ｍｍ程度埋め込んで閉塞し、且つ、各流通間隔１０Ｈ…の先端側を夫々上記排気口１０Ｂ側に開口すると共に、重ねたフイルター単体１０Ｓ…の両外側面に図８の（イ）図と（ロ）図に示すように側板１０Ｘ，１０Ｘを取付けるように構成している。
【００２２】
以上の構成から、図８の（ハ）図に示すように各フイルター体１０Ｋの底面入気口１０Ａ側に開口した各流入穴１０Ｗ…より、各フイルター単体１０Ｓのフイルター穴１０Ｍ…に流入した含塵気流は、フイルター穴１０Ｍ…より各流通間隔１０Ｈに通過する際に濾過され、更に、フイルター体１０Ｋ内で９０度方向を転換して、各流通間隔１０Ｈ…より前記排気口１０Ｂを経てフイルター体１０Ｋの外に排出される仕組に成っている。
【００２３】
図６に示した分解図と図７に示した断面図に於いて、１１は上記嵌込室２Ｈに嵌込んだフイルター体１０Ｋの上面と前面を上から覆うように、各嵌込室２Ｈに装着されるカバー板で、全体を断面略Ｌ字状に形成したこのカバー板１１の前面板１１Ｔには、ベンチユリー管１２，１２と取付用ブラケット１８，１８が設けられ、また、その天井板には横長の取付板１３，１３が取付けられていて、嵌込室２Ｈにフイルター体１０Ｋを嵌込んだ状態で、その上に上記のカバー板１１を被せると共に、上記左右の支持壁２Ｃ，２Ｃの各外側面に取付けた棚板１４上に設けられているフック１５，１５にヘッドを懸掛けしたボルト１６，１６の各先端を、上記取付板１３，１３の先端に設けた穴１３Ａ，１３Ａに挿通してナット１７，１７で締め付け、更に、上記前面板１１Ｔの下側に取付けたブラケット１８，１８を、上記縦仕切板２Ａに設けたボルト２１，２１に嵌め合せてナット２０，２０で締め付けることによって、フイルター体１０Ｋを嵌込室２Ｈの内部に、その入気口１０Ａを横仕切板２Ｂの通気口２Ｄに位置合せした状態で、気密に取付けることができるように構成されている。
【００２４】
尚、１０Ｘ′，１０Ｙ，１９はいずれも上記の気密状態を維持するパッキンを示し、また、図７に於いて１１Ｈは上記フイルター体１０Ｋの排気口１０Ｂと、カバー板１１の前面板１１Ｔの間に形成されたエアー室で、上記のベンチユリー管１２を通ってフイルター体１０Ｋ内に向けて吹き込まれた除塵用の高圧エアーは、このエアー室１１Ｈで圧縮された後、図９の（ロ）図に示すようにフイルター体１０Ｋ内の各フイルター単体１０Ｓ…間の流通間隔１０Ｈ…に吹き込まれて、各フイルター単体１０Ｓ…に付着している粉塵を下側に払い落すことができる仕組に成っている。
【００２５】
図１、図２、図４並びに図５に於いて、８…は除塵運転時に上記の各ベンチユリー管１２…に対して除塵用の高圧エアー（除塵エアー）を吹き込むブローチユーブを示し、また、図４と図５に於いて９は各ブローチユーブ８に高圧エアーを送るヘッダーパイプ、９Ｘはパイロット弁を収めたボックスを示す。更に図１と図２に於いて、７は払い落された粉塵を収容するダストボックスで、７Ｘはその引出し用把手を兼ねた蓋板を示し、１Ｈは上記ベンチユリー管１２…、及び、ブローチユーブ８に近い集塵機本体１の側壁に開閉自在に取付けたメンテナンス用扉を示す。
【００２６】
図２に於いて５…は、上記ダスト室３内に多数取付けた整流板で、ダスト室３内に吸引された含塵気流は、これ等各整流板５…によって各フイルターユニット１０…の入気口１０Ａに向けてガイドされ、また、除塵運転によって各フイルター体１０Ｋの底面より上記の入気口１０Ａを通って下方に払い落される粉塵も、これ等整流板５…にガイドされて下方のダストボックス７に向けて落下される仕組に成っている。尚、各フイルターユニット１０…は、図示した如く中間仕切壁２に対して斜めに傾斜させて取付けているため、除塵運転によって上記入気口１０Ａより落下される粉塵は、断面略鋸歯状に形成した縦仕切板２Ａの傾斜面に沿って落下させることができるものであって、真下のフイルターユニット１０に直接粉塵が落下することがなく、粉塵の再付着を防止することができる。
【００２７】
本発明に係る複数段式集塵装置は以上述べた如き構成であるから、ブロアー装置６を運転して集塵機本体１に対して吸引作用を及ぼすと、焼却炉等から発生する含塵気流を、ダスト室３を通して各フイルターユニット１０内のフイルター体１０Ｋ内に吸引して、各フイルター単体１０Ｓ…による濾過が行われ、浄化された空気が清浄室４を通ってブロアー装置６側に吸引されて排出される。また、粉塵の捕集によって汚れた各フイルター単体１０Ｓ…は、ブローチユーブ８からベンチユリー管１２を通して各フイルター体１０Ｋ内に吹き込まれる高圧エアーによって払い落されて、ダストボックス７に回収されるものであって、これ等各フイルター単体１０Ｓ…による集塵と、各フイルター単体１０Ｓに付着した粉塵の除塵作用とを、上下多段式に設けた各フイルターユニット１０…毎に能率良く行うことができる。
【００２８】
【発明の効果】
従って本発明に係る複数段式集塵装置によれば、上下多段式に設けたフイルターユニットによって、装置全体の設置面積を増大させることなく、含塵気流（排ガス）の処理機能を増大できる利点を発揮できる一方、各フイルターユニットをダスト室と清浄室の間を跨ぐように横方向に並べて設けることができ、而かも、全体を斜めに傾斜させて取付けている関係で、集塵装置全体を細く、而かも、その高さを低く押えた状態に造ることができるため、高さにあまり余裕のない工場内でも容易に設置できる利点を備えるものあって、集塵性能と除塵性能に優れ、且つ、フイルター等のメンテナンスを容易に行うことができる点と相俟って、優れた集塵装置を提供することができる。
【図面の簡単な説明】
【図１】  本発明に係る複数段式集塵装置の全体を明示した構成図である。
【図２】  集塵機本体の内部構造を説明した構成図である。
【図３】  フイルターユニットの構成を説明した側面図である。
【図４】  集塵機本体の正面図である。
【図５】  集塵機本体の平面図である。
【図６】  フイルターユニットの全体を分解して示した斜視図である。
【図７】  フイルターユニットの要部の断面図である。
【図８】  （イ）図はフイルター体の正面図、（ロ）図はその底面図、（ハ）図はその側面図である。
【図９】  （イ）図は各フイルター単体に於ける集塵運転時の気流の流れを説明した平面図で、（ロ）図は同じく除塵運転時の気流の流れを説明した平面図である。
【符号の説明】
１              集塵機本体
１Ｈ            メンテナンス用扉
２              中間仕切壁
２Ａ            縦仕切板
２Ｂ            横仕切板
２Ｄ            通気口
３              ダスト室
４              清浄室
６              ブロアー装置
８              ブローチユーブ
１０            フイルターユニット
１０ａ          入気口
１０Ｋ          フイルター体
１０Ｓ          フイルター単体
１１Ｈ          エアー室
１２            ベンチユリー管
【図１】
0003683507.tif 000002
【図２】
0003683507.tif 000003
【図３】
0003683507.tif 000004
【図４】
0003683507.tif 000005
【図５】
0003683507.tif 000006
【図６】
0003683507.tif 000007
【図７】
0003683507.tif 000008
【図８】
0003683507.tif 000009
【図９】
0003683507.tif 000010